(57)【要約】      （修正有）【課題】薬剤タンクにかかる応力を分散させることができる薬剤散布装置の薬剤タンク固定構造を提供する。【解決手段】フレームに薬剤タンク２が固定された薬剤散布装置の薬剤タンク固定構造において、フレームは、薬剤タンク２が載置されて薬剤タンク２を下方から支持する支持部８０と、薬剤タンク２の高さ方向のある位置において、前後または左右の少なくともいずれかの２側面を囲むように延在して当該２側面に当接可能な当接部９０と、を有する。【選択図】図３
2016043317.tif 000002
【特許請求の範囲】
【請求項１】
フレーム（１０）に薬剤タンク（２）が固定された薬剤散布装置（１）の薬剤タンク固定構造（Ｘ）において、
前記フレーム（１０）は、
前記薬剤タンク（２）が載置されて前記薬剤タンク（２）を下方から支持する支持部（８０）と、
前記薬剤タンク（２）の高さ方向のある位置において、前後または左右の少なくともいずれかの２側面を囲むように延在して当該２側面に当接可能な当接部（９０）と、を有することを特徴とする薬剤散布装置（１）の薬剤タンク固定構造（Ｘ）。
【請求項２】
前記当接部（９０）は、前記薬剤タンク（２）の高さ方向のある位置において、前後左右の４側面を囲むように延在して当該４側面に当接可能であることを特徴とする請求項１に記載の薬剤散布装置（１）の薬剤タンク固定構造（Ｘ）。
【請求項３】
前記薬剤タンク（２）は、高さ方向の中間部において、上側が大きくなった段差部（７０）を有し、
前記当接部（９０）は、前記段差部（７０）の下方に配置されて前記段差部（７０）を載置可能な載置部（９５）を含むことを特徴とする請求項２に記載の薬剤散布装置（１）の薬剤タンク固定構造（Ｘ）。
【請求項４】
前記フレーム（１０）は、
前記薬剤タンク（２）の下側（６５）および前側（６１）に対向し、上方および後ろ側が開放された前側フレーム（２０）と、
前記前側フレーム（２０）に取り付けられて、前記薬剤タンク（２）の後ろ側（６２）に対向する後ろ側フレーム（３０）と、
前記前側フレーム（２０）または前記後ろ側フレーム（３０）に取り付けられて、少なくとも前記薬剤タンク（２）の右側（６３）に対向する右側フレーム（４０Ｒ）と、
前記前側フレーム（２０）または前記後ろ側フレーム（３０）に取り付けられて、少なくとも前記薬剤タンク（２）の左側（６４）に対向する左側フレーム（４０Ｌ）と、
前記前側フレーム（２０）または前記後ろ側フレーム（３０）に取り付けられて、前記薬剤タンク（２）を上側から押圧する押圧フレーム（５０）と、を有することを特徴とする請求項２または３に記載の薬剤散布装置（１）の薬剤タンク固定構造（Ｘ）。
【請求項５】
前記薬剤タンク（２）は、前側（６１）の左右方向の中間部において、前方に突出する凸部を有し、
前記前側フレーム（２０）は、前記凸部の左右の側部に当接可能な一対の前側当接部（Ｆ１）を有することを特徴とする請求項４に記載の薬剤散布装置（１）の薬剤タンク固定構造（Ｘ）。
【請求項６】
前記薬剤散布装置（１）はトラクタ装着式であり、
前記前側フレーム（２０）はトラクタ装着部（２７）を有し、
前記後ろ側フレーム（３０）の下端部は前記前側フレーム（２０）に固定され、
前記右側フレーム（４０Ｒ）および前記左側フレーム（４０Ｌ）のそれぞれは、前記前側フレーム（２０）および前記後ろ側フレーム（３０）の双方に連結されていることを特徴とする請求項４または５に記載の薬剤散布装置（１）の薬剤タンク固定構造（Ｘ）。
【発明の詳細な説明】
【技術分野】
【０００１】
本発明は、薬剤散布装置の薬剤タンク固定構造に関する。
【背景技術】
【０００２】
水田や畑作において中間管理作業を行うための薬剤散布装置の一種であるブームスプレーヤは、液状の薬剤を貯留する薬剤タンクと、薬剤を散布するブームノズル装置と、薬剤タンク内の薬剤を吸引しブームノズル装置に圧送するポンプ装置とを備えている。また、このようなブームスプレーヤは、走行車に設計当初から組み込まれている自走式のものと、走行車に取外し可能に搭載される搭載式のものがある。
【０００３】
特許文献１に記載された薬剤散布装置の薬剤タンクは、合成樹脂の成形品である。この薬剤タンクは、インサート成形によってナットが埋め込まれたリブを有している。このナットを用いて、ポンプ装置等が取り付けられる。
【先行技術文献】
【特許文献】
【０００４】
【特許文献１】特開２００７−１１７９２０号公報
【発明の概要】
【発明が解決しようとする課題】
【０００５】
上記した薬剤タンクの固定構造の他、たとえば、薬剤タンクの底面にアンカーボルトを設け、ナットを用いてフレームに対して薬剤タンクを固定する構造が挙げられる。また、薬剤タンクの高さ方向の中央付近において、薬剤タンクの内部を通るようにして前後方向にジョイント部材を配置し、このジョイント部材の前端をフレームに固定し、後端をマストに固定する構造も挙げられる。この場合、ジョイント部材と薬剤タンクとの間には、水漏れ防止用パッキンを介在させる。
【０００６】
ブームスプレーヤの薬剤タンクは、概して背が高いため、本機が左右方向に振られた際には、大きな負荷がかかる。上記したようなアンカーボルトによる固定構造を採用した場合、薬剤タンクが倒れようとする荷重をアンカーボルト固定部で支持しているため、この部位に応力がかかり、薬剤タンクの損傷につながる可能性がある。また、アンカーボルト固定部はフレームに設けられるが、たとえばフレームにおける固定部材の位置精度（たとえば平行性や高さ等）が出ていない場合にアンカーボルト部をナットによって固定すると、薬剤タンクは一般的にフレームよりも低強度であるため、薬剤タンクが捻られて固定されることになる。このことも、当該部位に応力がかかる要因となり、薬剤タンクの破損につながる可能性がある。
【０００７】
本発明は、薬剤タンクにかかる応力を分散させることができる薬剤散布装置の薬剤タンク固定構造を提供することを目的とする。
【課題を解決するための手段】
【０００８】
本発明は、フレーム（１０）に薬剤タンク（２）が固定された薬剤散布装置（１）の薬剤タンク固定構造（Ｘ）において、フレーム（１０）は、薬剤タンク（２）が載置されて薬剤タンク（２）を下方から支持する支持部（８０）と、薬剤タンク（２）の高さ方向のある位置において、前後または左右の少なくともいずれかの２側面を囲むように延在して当該２側面に当接可能な当接部（９０）と、を有することを特徴とする。
【０００９】
この薬剤散布装置（１）の薬剤タンク固定構造（Ｘ）によれば、支持部（８０）によって、薬剤タンク（２）が下方から支持される。さらに、薬剤タンク（２）の前後または左右の少なくともいずれかの２側面は、当接部（９０）によって囲まれる。薬剤タンク（２）に液体を入れると、薬剤タンク（２）は前後または左右に膨らむ。このとき、膨らんだ薬剤タンク（２）に当接部（９０）が密着し、それと同時に、当接部（９０）は薬剤タンク（２）の前後または左右への膨らみを抑制する。これにより、薬剤タンク（２）が確実に固定される。この固定構造（Ｘ）によれば、薬剤散布装置（１）の移動等に伴い薬剤タンク（２）に荷重が加わっても、薬剤タンク（２）にかかる応力は、下方と、前後または左右の少なくともいずれかの側方とに分散される。その結果として、薬剤タンク（２）の破損を防止することができる。
【００１０】
当接部（９０）は、薬剤タンク（２）の高さ方向のある位置において、前後左右の４側面を囲むように延在して当該４側面に当接可能である。この構成によれば、薬剤タンク（２）は、前後左右の４側面において当接部（９０）によって囲まれ、当接部（９０）に当接する。よって、より一層、薬剤タンク（２）にかかる応力を分散させることができる。
【００１１】
薬剤タンク（２）は、高さ方向の中間部において、上側が大きくなった段差部（７０）を有し、当接部（９０）は、段差部（７０）の下方に配置されて段差部（７０）を載置可能な載置部（９５）を含む。この構成によれば、当接部（９０）の載置部（９５）に段差部（７０）を載置可能であるので、薬剤タンク（２）の重さを支持部（８０）と当接部（９０）とに分散させて支持することができる。
【００１２】
フレーム（１０）は、薬剤タンク（２）の下側（６５）および前側（６１）に対向し、上方および後ろ側が開放された前側フレーム（２０）と、前側フレーム（２０）に取り付けられて、薬剤タンク（２）の後ろ側（６２）に対向する後ろ側フレーム（３０）と、前側フレーム（２０）または後ろ側フレーム（３０）に取り付けられて、少なくとも薬剤タンク（２）の右側（６３）に対向する右側フレーム（４０Ｒ）と、前側フレーム（２０）または後ろ側フレーム（３０）に取り付けられて、少なくとも薬剤タンク（２）の左側（６４）に対向する左側フレーム（４０Ｌ）と、前側フレーム（２０）または後ろ側フレーム（３０）に取り付けられて、薬剤タンク（２）を上側から押圧する押圧フレーム（５０）と、を有する。この構成によれば、前側フレーム（２０）が支持部（８０）の機能を有し、前側フレーム（２０）、後ろ側フレーム（３０）、右側フレーム（４０Ｒ）および左側フレーム（４０Ｌ）が、当接部（９０）の機能を有することになる。フレームの組み付け時には、まず前側フレーム（２０）に薬剤タンク（２）を載置し、後ろ側フレーム（３０）を薬剤タンク（２）に当接させながら、前側フレーム（２０）に取り付ける。さらに、右側フレーム（４０Ｒ）と左側フレーム（４０Ｌ）とを、それぞれ、薬剤タンク（２）に当接させながら、前側フレーム（２０）または後ろ側フレーム（３０）に取り付ける。そして、押圧フレーム（５０）を薬剤タンク（２）に押し当てながら、前側フレーム（２０）または後ろ側フレーム（３０）に取り付ける。このようにして、薬剤タンク（２）の各当接箇所に対して各フレームを確実に当接させながら、支障なくスムーズに、フレームを組み付けることができる。
【００１３】
薬剤タンク（２）は、前側（６１）の左右方向の中間部において、前方に突出する凸部を有し、前側フレーム（２０）は、凸部の左右の側部に当接可能な一対の前側当接部（Ｆ１）を有する。この構成によれば、前側フレーム（２０）に薬剤タンク（２）を載置する際、薬剤タンク（２）の位置決めを容易に行うことができる。
【００１４】
薬剤散布装置（１）はトラクタ装着式であり、前側フレーム（２０）はトラクタ装着部（２７）を有し、後ろ側フレーム（３０）の下端部は前側フレーム（２０）に固定され、右側フレーム（４０Ｒ）および左側フレーム（４０Ｌ）のそれぞれは、前側フレーム（２０）および後ろ側フレーム（３０）の双方に連結されている。この構成によれば、トラクタに装着されたフレームにおいて、前側フレーム（２０）に対する後ろ側フレーム（３０）の固定強度を向上させることができる。
【発明の効果】
【００１５】
本発明によれば、薬剤タンク（２）にかかる応力を分散させることができ、その結果として、薬剤タンク（２）の破損を防止することができる。
【図面の簡単な説明】
【００１６】
【図１】本発明の実施形態に係る薬剤タンク固定構造が適用された薬剤散布装置を後方から見た斜視図である。
【図２】図１の薬剤散布装置を前方から見た斜視図である。
【図３】図１中の薬剤タンク固定構造を前方から見た斜視図である。
【図４】図１中の薬剤タンク固定構造を後方から見た斜視図である。
【図５】図１中の薬剤タンク固定構造を後方から見た斜視図である。
【図６】薬剤タンクを前方から見た斜視図である。
【図７】薬剤タンクを前方から見た斜視図である。
【図８】薬剤タンクを後方から見た斜視図である。
【図９】薬剤タンクを後方から見た斜視図である。
【図１０】フレームを前方から見た斜視図である。
【図１１】フレームを後方から見た斜視図である。
【図１２】前側フレームおよび押圧フレームの分解斜視図である。
【図１３】後ろ側フレーム、右側フレーム、左側フレームおよび押圧フレームの分解斜視図である。
【発明を実施するための形態】
【００１７】
以下、本発明の実施形態について、図面を参照しながら説明する。なお、図面の説明において同一要素には同一符号を付し、重複する説明は省略する。本明細書及び特許請求の範囲において使用されている「上」、「下」、「左」、「右」、「前」、「後」等の方向を示す語は、水平面上の走行車（トラクタ等）に薬剤散布装置を設置した状態において、当該走行車の通常の前進方向を前方と定めた状態を基準としている。
【００１８】
図１および図２に示されるように、ブームスプレーヤ１は、トラクタ（図示せず）の後部に装着される薬剤散布装置である。従来と同様、ブームスプレーヤ１は、合成樹脂の成形品である薬剤タンク２と、この薬剤タンク２内の液状の薬剤を吸引して圧送するポンプ装置３と、ポンプ装置３から送られてくる薬剤を散布するブームノズル装置４とを備えている。
【００１９】
ブームスプレーヤ１は、薬剤タンク２を固定するためのフレーム１０を備えている。フレーム１０は、走行車に対してブームスプレーヤ１を固定する。フレーム１０は、主として鋼製であり、薬剤タンク２の下方および前方に配置された前側フレーム２０と、薬剤タンク２の後方に配置された後ろ側フレーム３０と、前側フレーム２０および後ろ側フレーム３０に連結されて薬剤タンク２の左右の側方に沿って延びる右側フレーム４０Ｒおよび左側フレーム４０Ｌと、薬剤タンク２の前方および後方のそれぞれに沿って延びる押圧フレーム５０とを有する。ブームスプレーヤ１は、薬剤タンク２を取り囲むように配されたフレーム１０によって、薬剤タンク２を固定する固定構造（薬剤タンク固定構造）Ｘを備えている。
【００２０】
ブームノズル装置４は、後ろ側フレーム３０の後部に水平方向に揺動可能に取り付けられたターンブーム６と、ターンブーム６の先端部に上下方向及び水平方向に揺動可能に取り付けられたサイドブーム７とを有している。ターンブーム６を１８０度揺動させることにより、サイドブーム７を右方および左方に延ばすことが可能になっている。ブームスプレーヤ１による作業時には、ターンブーム６とサイドブーム７とはほぼ一直線上に配置され、右方向又は左方向にサイドブーム７を延出させる。サイドブーム7には送液パイプ８が取り付けられており、ポンプ装置３から圧送された薬剤が送液パイプ８のノズル９から噴射されるようになっている。なお、フレーム１０の下部には、トラクタの下部にも薬剤を散布することができるよう、複数のノズル９が設けられている。なお、ブームスプレーヤ１は、左右方向のいずれか一方にのみサイドブーム７が取り付けられるタイプに限られず、左右一対のサイドブームがセンターブームの両端に取り付けられるタイプであってもよい。
【００２１】
薬剤タンク２は、フレーム１０の前側フレーム２０上に載置されており、さらに、前側フレーム２０、後ろ側フレーム３０、右側フレーム４０Ｒおよび左側フレーム４０Ｌによって、前後左右の側面を取り囲まれている。たとえばポリエチレン等の樹脂からなる薬剤タンク２は、内部に薬剤が充填された状態では膨らみ、フレーム１０に対して複数の部分で当接する。薬剤タンク２は、フレーム１０に対してアンカーボルト等を用いずに固定されている。すなわち、薬剤タンク２はフレーム１０に支持され、フレーム１０によって取り囲まれて押圧されることによってのみ、固定されている。
【００２２】
図３〜図５に示されるように、前側フレーム２０は、フレーム１０の骨格をなす部分であり、その上方および後ろ側が開放されている。前側フレーム２０は、薬剤タンク２の前側６１に対向している。前側フレーム２０には薬剤タンク２が載置される。後ろ側フレーム３０は、前側フレーム２０に取り付けられており、薬剤タンク２の後ろ側６２に対向している。右側フレーム４０Ｒは、前側フレーム２０および後ろ側フレーム３０に取り付けられており、薬剤タンク２の右側６３および前側６１の右部分に対向している。左側フレーム４０Ｌは、前側フレーム２０および後ろ側フレーム３０に取り付けられており、薬剤タンク２の左側６４および前側６１の左部分に対向している。押圧フレーム５０は、前側フレーム２０および後ろ側フレーム３０のそれぞれに取り付けられており、薬剤タンク２の前側６１および後ろ側６２のそれぞれに対向している。
【００２３】
前側フレーム２０、後ろ側フレーム３０、右側フレーム４０Ｒ、左側フレーム４０Ｌおよび押圧フレーム５０は、それぞれ、薬剤タンク２の外表面に当接可能な当接面を有している。言い換えれば、フレーム１０は、薬剤タンク２の前側６１、後ろ側６２、右側６３、左側６４および上側のそれぞれの面において、一または複数の当接面を有している。各当接面は、各面の一部分である。各当接面は、薬剤タンク２に薬剤が充填されない状態では、薬剤タンク２の外表面に当接しているか、または、薬剤タンク２の外表面に沿って延在し、僅かな隙間をもって外表面に対向している。言い換えれば、各当接面は、薬剤タンク２の外表面に略平行な状態で、当該外表面に近接している。各当接面は、薬剤タンク２に薬剤が充填された状態（特に満タン時）では、薬剤タンク２の外表面に密着する。上下および前後左右に形成された当接面のそれぞれが薬剤タンク２の外表面に密着することにより、フレーム１０は薬剤タンク２を保持する。以下、各フレームについて説明する。
【００２４】
図１０、図１１および図１２に示されるように、前側フレーム２０は、薬剤タンク２の下側６５を支持し、薬剤タンク２の前側６１に当接可能になっている。前側フレーム２０の上端には、薬剤タンク２の前側６１において薬剤タンク２を上側から押圧する門型の上端ブラケット２２が連結される。前側フレーム２０は、一対の横部材２３ａおよび複数本の縦部材２３ｂを有してトラクタに載置される脚部２３と、脚部２３上に固定されて矩形の枠状を成し、薬剤タンク２の下側６５に対面するベース部２４と、ベース部２４の前端に連結されて斜め上方（前方）に張り出す傾斜部２５と、傾斜部２５の上端に連結されて矩形の枠状を成し、薬剤タンク２の前側６１に対面する前面部２６とを有する。これらの脚部２３、ベース部２４、傾斜部２５および前面部２６は、溶接またはボルト結合等により、一体化されている。上端ブラケット２２は、前面部２６の上端に対し、たとえばボルト結合される。傾斜部２５の下端部には、トラクタのロアーリンクへ装着される一対の接続ピン（トラクタ装着部）２７，２７が固定されている。
【００２５】
図１０、図１１および図１３に示されるように、後ろ側フレーム３０は、薬剤タンク２の後ろ側６２に当接可能になっている。後ろ側フレーム３０の上端には、薬剤タンク２の後ろ側６２において薬剤タンク２を上側から押圧する矩形状の上端ブラケット３２が連結される。後ろ側フレーム３０は、左右方向に離間して平行に配置された一対の縦部材３３と、縦部材３３間に配置された下端部材３４、横部材３５、横部材３６および上端部材３７とを有する。下端部材３４、横部材３５、横部材３６および上端部材３７は、上下方向に離間して平行に配置されている。下端部材３４、横部材３５および上端部材３７は、左右方向において縦部材３３間に収まるように配置されており、縦部材３３よりも前方に張り出している。横部材３６は、縦部材３３よりも前方に張り出しており、一対の縦部材３３の左右に突出している。これらの下端部材３４、横部材３５、横部材３６および上端部材３７は、溶接またはボルト結合等により、一体化されている。上端ブラケット３２は、上端部材３７に対し、たとえばボルト結合される。
【００２６】
後ろ側フレーム３０は、前側フレーム２０に対して連結されている。より詳細には、後ろ側フレーム３０の下端部材３４および縦部材３３が、前側フレーム２０のベース部２４の後端部に固定されている。前側フレーム２０の前面部２６および上端ブラケット２２が薬剤タンク２の前側６１に対面し、後ろ側フレーム３０全体が薬剤タンク２の後ろ側６２に対面する。前面部２６および上端ブラケット２２と後ろ側フレーム３０とは、鉛直方向に延びており、互いに略平行である。このようにして、薬剤タンク２の下側６５、前側６１および後ろ側６２を略Ｕ字状に取り囲む枠体が形成されている。
【００２７】
右側フレーム４０Ｒは、薬剤タンク２の右側６３および前側６１の右部分に当接可能な右側湾曲ブラケット４１を有する。図１３に示されるように、右側湾曲ブラケット４１は、薬剤タンク２の右側６３に沿うように直線状に延びる直線部４１ａと、薬剤タンク２の前側６１の右部分に沿うように延びる直線部４１ｃと、これらの直線部４１ａ，４１ｃ間を連結して薬剤タンク２の湾曲部分（前側６１と右側６３との間の稜部に相当）に沿うように延びる湾曲部４１ｂとを含む。
【００２８】
左側フレーム４０Ｌは、薬剤タンク２の左側６４および前側６１の左部分に当接可能な左側湾曲ブラケット４２を有する。左側湾曲ブラケット４２は、薬剤タンク２の左側６４に沿うように直線状に延びる直線部４２ａと、薬剤タンク２の前側６１の左部分に沿うように延びる直線部４２ｃと、これらの直線部４２ａ，４２ｃ間を連結して薬剤タンク２の湾曲部分（前側６１と左側６４との間の稜部に相当）に沿うように延びる湾曲部４２ｂとを含む。
【００２９】
右側湾曲ブラケット４１の前端（すなわち直線部４１ｃの左端）は、前側フレーム２０の前面部２６の上部右端に対し、ボルト結合等により連結される。右側湾曲ブラケット４１の後端（すなわち直線部４１ａの後端）は、後ろ側フレーム３０の横部材３６の右端に対し、ボルト結合等により連結される。
【００３０】
左側湾曲ブラケット４２の前端（すなわち直線部４２ｃの右端）は、前側フレーム２０の前面部２６の上部左端に対し、ボルト結合等により連結される。左側湾曲ブラケット４２の後端（すなわち直線部４２ａの後端）は、後ろ側フレーム３０の横部材３６の左端に対し、ボルト結合等により連結される。このように、右側湾曲ブラケット４１と左側湾曲ブラケット４２とのそれぞれが、前側フレーム２０および後ろ側フレーム３０の双方に連結されている構造により、上記した略Ｕ字状の枠体の強度アップが図られている。
【００３１】
続いて、図６〜図９を参照して、薬剤タンク２の形状について説明する。薬剤タンク２は、高さ方向の中間部において、上端が大きくなった段差部７０を有している。段差部７０は、前側６１、右側６３、後ろ側６２および左側６４の略全域にわたって設けられており、薬剤タンク２の胴部を一周するようにして水平に延びている。段差部７０の幅は、前側６１、右側６３および左側６４において比較的大きく、後ろ側６２では、比較的小さい（図７および図９参照）。
【００３２】
図６および図７に示されるように、薬剤タンク２は、前側６１の左右方向の中間部において、前方に所定の長さ突出する凸部７１を有している。凸部７１は、矩形状の外形を有しており、段差部７０の上下にわたって形成されている。段差部７０よりも下側の部分を下部７１ａとし、段差部７０よりも上側の部分を上部７１ｂとすると、下部７１ａの前面と上部７１ｂの前面とは滑らかに連続しているが、段差部７０が設けられている分、下部７１ａは、上部７１ｂよりも前後方向の突出幅が大きくなっている。
【００３３】
図８および図９に示されるように、薬剤タンク２は、後ろ側６２の左右方向の中間部において、後方に所定の長さ突出された突出部７２を有している。段差部７０よりも下側の部分を下部７２ａとし、段差部７０よりも上側の部分を上部７２ｂとすると、下部７２ａの前面と上部７２ｂの前面とは滑らかに連続している。下部７２ａは、１枚の矩形状を成している。上部７２ｂは、左右方向に３分割されて互いに離間している。
【００３４】
薬剤タンク２は、前側６１の左右方向の中間部であって上側６６寄りの位置に、凹部７３を有している。凹部７３の下端には、水平に延びる段部７３ａが形成されている。また、図６および図８に示されるように、薬剤タンク２は、上側６６の左右方向の中間部において、前後方向に延びる凹部７４を有している。凹部７４は前側６１から後ろ側６２まで貫通するように形成されており、凹部７３と凹部７４とは、後ろ側６２と上側６６との間の稜部に相当する位置で連絡している。
【００３５】
続いて、フレーム１０およびフレーム１０に対する薬剤タンク２の組み付け方法について説明する。フレーム１０の組み付け時には、まず前側フレーム２０に薬剤タンク２を載置する。このとき、図６、図７および図１２に示されるように、凸部７１の下部７１ａの左右の側面に形成された当接部分ｆ１，ｆ１を前側フレーム２０の前面部２６の一対の内側面（前側当接部）Ｆ１，Ｆ１に当接させる。内側面Ｆ１同士の左右方向の間隔は凸部７１の下部７１ａの左右方向の幅よりも僅かに大きくされており、内側面Ｆ１がガイド面になることで、薬剤タンク２の位置決めが容易になっている。薬剤タンク２を載置すると、前側フレーム２０の傾斜部２５の上端面Ｆ２が、下部７１ａの下端に形成された傾斜する当接部分ｆ２に当接する。この当接箇所では、水平面および傾斜面の２面で傾斜部２５と前側６１とが当接している。また、前面部２６の上端部の後面Ｆ３が、下部７１ａの上端部の矩形の当接部分ｆ３に当接する。これと同時に、薬剤タンク２の下側６５の２箇所の当接部分ｂｏ１、ｂｏ１が、前側フレーム２０の傾斜部２５の途中に取り付けられた２個の水平な載置面ＢＯ１，ＢＯ１に載置される。なお、図６、図７および図１２において、理解を容易にするため、当接部分には斜線が付されている（この点、図８、図９および図１３においても同様である）。
【００３６】
次に、後ろ側フレーム３０を薬剤タンク２の後ろ側６２に当接させながら組み付け、前側フレーム２０に取り付ける。このとき、図８、図９および図１３に示されるように、後ろ側フレーム３０の横部材３５の断面Ｌ字状の面ＢＡ１が、薬剤タンク２の後ろ側６２の下端の稜部に相当する位置に形成された当接部分ｂａ１に当接する。この当接箇所では、水平面および鉛直面の２面で下端部材３４と後ろ側６２とが当接している。これと同時に、横部材３６の中央の前面ＢＡ２が、突出部７２の下部７２ａの当接部分ｂａ２に当接し、上端部材３７の中央の前面ＢＡ３が、突出部７２の上部７２ｂの当接部分ｂａ３に当接する。
【００３７】
次に、右側湾曲ブラケット４１と左側湾曲ブラケット４２とを、それぞれ、薬剤タンク２に当接させながら組み付け、前側フレーム２０および後ろ側フレーム３０に取り付ける。このとき、右側湾曲ブラケット４１の内周面Ｒ１が段差部７０の下側の湾曲する当接部分ｒ１（図６、図７および図９参照）に当接し、左側湾曲ブラケット４２の内周面Ｌ１が段差部７０の下側の湾曲する当接部分ｌ１（図６および図７参照）に当接する。また、右側湾曲ブラケット４１および左側湾曲ブラケット４２は段差部７０の直下に配置されて、右側湾曲ブラケット４１の上面４１ｄおよび左側湾曲ブラケット４２の上面４２ｄが、段差部７０に近接して対面する。（すなわち、薬剤タンク２に薬剤が充填された場合に段差部７０を載置可能になる）。
【００３８】
次に、前側フレーム２０に上端ブラケット２２を取り付ける。このとき、図６および図１２に示されるように、上端ブラケット２２の上端から後方に突出した２つの断面Ｌ字状の面Ｔ１，Ｔ１が、凸部７１の上部７１ｂの上端縁の当接部分ｔ１，ｔ１に当接する。この当接箇所では、水平面および鉛直面の２面で上端ブラケット２２と前側６１とが当接している。上端ブラケット２２は、断面Ｌ字状の面Ｔ１によって、凸部７１の当接部分ｔ１を上側から押圧する。また、後ろ側フレーム３０に上端ブラケット３２を取り付ける。このとき、図８および図１３に示されるように、上端ブラケット３２の上端から前方に突出した部分の下面Ｔ２が、凹部７３に嵌入されて、凹部７３の下端の段部７３ａ（当接部分ｔ２）に当接する。上端ブラケット３２は、前方に突出した部分の下面Ｔ２によって、凹部７３の当接部分ｔ２を上側から押圧する。このように、上端ブラケット２２および上端ブラケット３２によって、薬剤タンク２を上側から押圧する押圧フレーム５０が構成されている。このように、本実施形態の押圧フレーム５０は、前側フレーム２０および後ろ側フレーム３０に連結されて、薬剤タンク２の上端よりも低い位置で、前側６１および後ろ側６２に形成された段部または凹部に当接して（係止されて）薬剤タンク２を押圧している。
【００３９】
以上一連の組み付け作業により、フレーム１０および薬剤タンク２が組み付けられる。上記のようにして、薬剤タンクの各当接箇所に対して各フレームを確実に当接させながら、支障なくスムーズに、フレーム１０を組み付けることができる。また、薬剤タンク２に薬剤を充填した際には、薬剤タンク２が前後左右に膨らむことで、フレーム１０（特に当接部９０）の各当接面は薬剤タンク２の各当接部分に密着し、フレーム１０が薬剤タンク２を確実に保持する。
【００４０】
以上のように構成され、組み付けられた薬剤タンク２の固定構造Ｘでは、前側フレーム２０の傾斜部２５および前面部２６が、薬剤タンク２を下方から支持する支持部８０に相当する（図３参照）。また、前側フレーム２０の前面部２６、後ろ側フレーム３０の横部材３６、右側フレーム４０Ｒの右側湾曲ブラケット４１および左側フレーム４０Ｌの左側湾曲ブラケット４２が、薬剤タンク２の高さ方向のある位置（具体的には段差部７０が形成された中間部の位置）において、薬剤タンク２の前側６１、後ろ側６２、右側６３および左側６４を囲むように延在してこれらの側面に当接可能な当接部９０に相当する（図３および図４参照）。
【００４１】
さらに、段差部７０の直下に配置される右側湾曲ブラケット４１の上面４１ｄおよび左側湾曲ブラケット４２の上面４２ｄが、段差部７０を載置可能な載置部９５に相当する（図１０および図１１参照）。
【００４２】
以上説明した薬剤タンク２の固定構造Ｘによれば、支持部８０によって、薬剤タンク２が下方から支持される。さらに、薬剤タンク２の前後左右の４つの側面は、当接部９０によって囲まれる。薬剤タンク２に液体を入れると、薬剤タンク２は前後左右に膨らむ。このとき、膨らんだ薬剤タンク２に当接部９０が密着し、それと同時に、当接部９０は薬剤タンク２の前後左右への膨らみを抑制する。これにより、薬剤タンク２が確実に固定される。この固定構造Ｘによれば、ブームスプレーヤ１の移動等に伴い薬剤タンク２に荷重が加わっても、薬剤タンク２にかかる応力は、下方と前後左右のそれぞれの側方とに分散される。その結果として、薬剤タンク２の破損を防止することができる。
【００４３】
固定構造Ｘにおいて、フレーム１０は、薬剤タンク２を全体的に包み込むように固定しているので、ブームスプレーヤ１が左右に振られ、薬剤タンク２が倒れようとしても、フレーム１０が薬剤タンク２を多面で保持する。よって、薬剤タンク２の背が高い場合であっても、荷重を分散させて薬剤タンク２を保持することが可能である。また、アンカーボルトによる固定を行わないため、薬剤タンク２にかかる局所的な応力集中が発生しない構造となっている。
【００４４】
特に、薬剤タンク２がポリエチレン製である場合は、満タン時に薬剤タンク２が膨らむ特徴がある。その特性を利用して、液体が入っていない軽荷重時にはいくつかの当接部分に隙間があってガタついても、荷重が大きくなり確実に保持する必要がある満タン時には、それらの隙間が埋まり、より確実に薬剤タンク２を保持できる構造となっている。なお、液体が入っていない場合には、荷重も小さいため、一部の当接部分で保持されていれば十分である。
【００４５】
また、当接部９０は、段差部７０の下方に配置されて段差部７０を載置可能な載置部９５を含むため、当接部９０の載置部９５に段差部７０を載置可能であるので、薬剤タンク２の重さを支持部８０と当接部９０とに分散させて支持することができる。
【００４６】
また、前側フレーム２０は、薬剤タンク２の凸部７１の左右の側部（当接部分ｆ１）に当接可能な一対の内側面Ｆ１，Ｆ１を有するため、前側フレーム２０に薬剤タンク２を載置する際、薬剤タンク２の位置決めを容易に行うことができる。
【００４７】
また、前側フレーム２０はトラクタ装着部である接続ピン２７を有し、後ろ側フレーム３０の下端部は前側フレーム２０に固定され、右側湾曲ブラケット４１および左側湾曲ブラケット４２のそれぞれは、前側フレーム２０および後ろ側フレーム３０の双方に連結されているため、トラクタに装着されたフレーム１０において、前側フレーム２０に対する後ろ側フレーム３０の固定強度が向上されている。
【００４８】
以上、本発明の実施形態について説明したが、本発明は上記実施形態に限られない。たとえば、当接部９０によって囲まれる部分は、段差部７０に限られないし、薬剤タンク２の高さ方向の中間部にも限られない。薬剤タンク２の上部のみが当接部によって囲まれて保持されてもよいし、薬剤タンク２の下部と上部とが当接部によって囲まれて保持されてもよい。
【００４９】
右側湾曲ブラケット４１は、前側フレーム２０および後ろ側フレーム３０のいずれか一方に取り付けられてもよい。左側湾曲ブラケット４２は、前側フレーム２０および後ろ側フレーム３０のいずれか一方に取り付けられてもよい。
【００５０】
載置部９５は、面状である場合に限られない。当接部９０が円形のパイプである場合等、載置部が線状であってもよい。
【００５１】
当接部９０は、薬剤タンク２の前後左右の４側面を囲むように延在して当該４側面に当接可能な場合に限られず、前後又は左右の少なくともいずれかの２側面を囲むように延在して当該２側面に当接可能であってもよい。この場合でも、薬剤タンク２を前後方向または左右方向に挟み込むように固定しているので、薬剤タンク２を安定して保持することができる。薬剤タンク２に薬液を入れると、薬剤タンク２が前後方向または左右方向へ膨らむことにより、当接部９０による保持効果が高められる。
【００５２】
ブームスプレーヤ１はトラクタ装着式である場合に限られず、自走式であってもよい。
【符号の説明】
【００５３】
１…ブームスプレーヤ（薬剤散布装置）、２…薬剤タンク、１０…フレーム、２０…前側フレーム、２７…接続ピン（トラクタ装着部）、３０…後ろ側フレーム、４０Ｒ…右側フレーム、４０Ｌ…左側フレーム、５０…押圧フレーム、６１…前側、６２…後ろ側、６３…右側、６４…左側、６５…下側、６６…上側、７０…段差部、８０…支持部、９０…当接部、９５…載置部、Ｆ１…内側面（前側当接部）、Ｘ…固定構造（薬剤タンク固定構造）。
【図１】
2016043317.tif 000003
【図２】
2016043317.tif 000004
【図３】
2016043317.tif 000005
【図４】
2016043317.tif 000006
【図５】
2016043317.tif 000007
【図６】
2016043317.tif 000008
【図７】
2016043317.tif 000009
【図８】
2016043317.tif 000010
【図９】
2016043317.tif 000011
【図１０】
2016043317.tif 000012
【図１１】
2016043317.tif 000013
【図１２】
2016043317.tif 000014
【図１３】
2016043317.tif 000015